(57)【要約】【課題】印刷対象の画像の寸法に対応する推奨寸法の用紙が収容されている用紙収容部がない場合にどの寸法の用紙をどの用紙収容部に収容すべきかを推奨寸法の用紙を収容不能な用紙収容部を除外して示す。【解決手段】印刷装置は、推奨サイズの印刷用紙を収容可能な給紙トレイをＡＰＳ対象トレイとして特定し（Ｓ１０６）、推奨サイズの印刷用紙が収容されているＡＰＳ対象トレイがある場合、推奨サイズの印刷用紙を収容しているＡＰＳ対象トレイ、に収容されている印刷用紙に画像を印刷する（Ｓ１０９）。一方、推奨サイズの印刷用紙が収容されているＡＰＳ対象トレイがない場合、特定したＡＰＳ対象トレイのトレイ番号と、推奨サイズと、を表示する（Ｓ１１０）。【選択図】図６
2014201417.tif 000002
【特許請求の範囲】
【請求項１】
複数の用紙収容部それぞれにおいて収容可能な印刷用紙の用紙寸法を示す寸法情報に基づいて、前記複数の用紙収容部のうちで、印刷対象の画像の寸法に対応する用紙寸法である推奨寸法の印刷用紙を収容可能な用紙収容部を選択候補収容部として特定する特定手段と、
前記推奨寸法の印刷用紙が収容されている選択候補収容部がある場合、前記推奨寸法の印刷用紙を収容している選択候補収容部、に収容されている印刷用紙への前記印刷対象の画像の印刷を印刷部に行わせる印刷制御手段と、
前記推奨寸法の印刷用紙が収容されている選択候補収容部がない場合、前記特定手段により特定された選択候補収容部それぞれを示す情報と、前記推奨寸法を示す情報と、を表示部に表示させる表示制御手段と、
を含む印刷装置。
【請求項２】
前記印刷制御手段は、
前記推奨数法の印刷用紙を収容している選択候補収容部、に収容されている印刷用紙への両面印刷を印刷部に行わせ、
前記特定手段は、
前記寸法情報と、前記複数の用紙収容部のそれぞれに収容されている印刷用紙の紙質を示す情報と、に基づいて、前記推奨寸法の印刷用紙を収容可能であり、且つ、予め定められた紙質の印刷用紙を収容していない用紙収容部、を選択候補収容部として特定すること、
を特徴とする請求項１に記載の印刷装置。
【請求項３】
前記特定手段は、
前記寸法情報と、前記複数の用紙収容部それぞれにつき選択候補収容部としない設定がなされているか否かを示す情報と、に基づいて、前記複数の用紙収容部のうちで、前記推奨寸法の印刷用紙を収容可能であり且つ前記設定がなされていない用紙収容部、を選択候補収容部として特定すること、
を特徴とする請求項１に記載の印刷装置。
【請求項４】
前記特定手段は、
前記寸法情報と、前記複数の用紙収容部それぞれの状態を示す情報と、に基づいて、前記複数の用紙収容部のうちで、前記推奨寸法の印刷用紙を収容可能であり、且つ、故障状態にない用紙収容部、を選択候補収容部として特定すること、
を特徴とする請求項１に記載の印刷装置。
【請求項５】
前記印刷制御手段は、
第１の印刷指示操作がなされた場合、前記推奨寸法の印刷用紙を収容している選択候補収容部、に収容されている印刷用紙への片面印刷を印刷部に行わせ、第２の印刷指示がなされた場合、前記推奨寸法の印刷用紙を収容している選択候補収容部、に収容されている印刷用紙への両面印刷を印刷部に行わせ、
前記特定手段は、
前記第１の印刷指示がなされた場合、前記寸法情報に基づいて、前記推奨寸法の印刷用紙を収容可能な用紙収容部を選択候補収容部として特定し、前記第２の印刷指示がなされた場合、前記寸法情報と、前記複数の用紙収容部のそれぞれに収容されている印刷用紙の紙質を示す情報と、に基づいて、前記推奨寸法の印刷用紙を収容可能であり、且つ、前記予め定められた紙質の印刷用紙を収容していない用紙収容部を選択候補収容部として特定すること、
を特徴とする請求項２に記載の印刷装置。
【請求項６】
前記表示制御手段は、
前記第２の印刷指示がなされた場合において、前記推奨寸法の印刷用紙が収容されている選択候補収容部がない場合、前記予め定められた紙質を示す情報を前記表示部に表示させること、
を特徴とする請求項５に記載の印刷装置。
【請求項７】
前記印刷装置は、
前記複数の用紙収容部のうちに、前記推奨寸法の印刷用紙を収容可能であり且つ前記設定がなされていない用紙収容部がない場合、前記推奨寸法の印刷用紙を収容可能であり且つ前記設定がなされている用紙収容部を示す情報を、前記表示部に表示させる手段、
をさらに含むことを特徴とする請求項３に記載の印刷装置。
【請求項８】
複数の用紙収容部それぞれにおいて収容可能な印刷用紙の用紙寸法を示す寸法情報に基づいて、前記複数の用紙収容部のうちで、印刷対象の画像の寸法に対応する用紙寸法である推奨寸法の印刷用紙を収容可能な用紙収容部を選択候補収容部として特定する特定手段、
前記推奨寸法の印刷用紙が収容されている選択候補収容部がある場合、前記推奨寸法の印刷用紙を収容している選択候補収容部、に収容されている印刷用紙への前記印刷対象の画像の印刷を印刷部に行わせる印刷制御手段、
前記推奨寸法の印刷用紙が収容されている選択候補収容部がない場合、前記特定手段により特定された選択候補収容部それぞれを示す情報と、前記推奨寸法を示す情報と、を表示部に表示させる表示制御手段、
としてコンピュータを機能させるためのプログラム。
【発明の詳細な説明】
【技術分野】
【０００１】
本発明は、印刷装置、及びプログラムに関する。
【背景技術】
【０００２】
下記特許文献１には、複数の給紙トレイを備えた画像形成装置が開示されている。特許文献１によれば、この画像形成装置は、印刷要求データサイズと一致する用紙サイズを収容している給紙トレイが存在しない場合、その旨をエラー表示する。
【先行技術文献】
【特許文献】
【０００３】
【特許文献１】特開２００７−２３８３０５号公報
【発明の概要】
【発明が解決しようとする課題】
【０００４】
本発明の目的は、印刷対象の画像の寸法に対応する推奨寸法の用紙が収容されている用紙収容部がない場合に、推奨寸法の用紙を収容可能な用紙収容部を示すことである。
【課題を解決するための手段】
【０００５】
上記課題を解決するために、請求項１に記載の印刷装置は、複数の用紙収容部それぞれにおいて収容可能な印刷用紙の用紙寸法を示す寸法情報に基づいて、前記複数の用紙収容部のうちで、印刷対象の画像の寸法に対応する用紙寸法である推奨寸法の印刷用紙を収容可能な用紙収容部を選択候補収容部として特定する特定手段と、前記推奨寸法の印刷用紙が収容されている選択候補収容部がある場合、前記推奨寸法の印刷用紙を収容している選択候補収容部、に収容されている印刷用紙への前記印刷対象の画像の印刷を印刷部に行わせる印刷制御手段と、前記推奨寸法の印刷用紙が収容されている選択候補収容部がない場合、前記特定手段により特定された選択候補収容部それぞれを示す情報と、前記推奨寸法を示す情報と、を表示部に表示させる表示制御手段と、を含む。
【０００６】
また、請求項２に記載の印刷装置は、請求項１に記載の印刷装置において、前記印刷制御手段が、前記推奨数法の印刷用紙を収容している選択候補収容部、に収容されている印刷用紙への両面印刷を印刷部に行わせ、前記特定手段が、前記寸法情報と、前記複数の用紙収容部のそれぞれに収容されている印刷用紙の紙質を示す情報と、に基づいて、前記推奨寸法の印刷用紙を収容可能であり、且つ、予め定められた紙質の印刷用紙を収容していない用紙収容部、を選択候補収容部として特定すること、を特徴としている。
【０００７】
また、請求項３に記載の印刷装置は、請求項１に記載の印刷装置において、前記特定手段が、前記寸法情報と、前記複数の用紙収容部それぞれにつき選択候補収容部としない設定がなされているか否かを示す情報と、に基づいて、前記複数の用紙収容部のうちで、前記推奨寸法の印刷用紙を収容可能であり且つ前記設定がなされていない用紙収容部、を選択候補収容部として特定すること、を特徴としている。
【０００８】
また、請求項４に記載の印刷装置は、請求項１に記載の印刷装置において、前記特定手段は、前記寸法情報と、前記複数の用紙収容部それぞれの状態を示す情報と、に基づいて、前記複数の用紙収容部のうちで、前記推奨寸法の印刷用紙を収容可能であり、且つ、故障状態にない用紙収容部、を選択候補収容部として特定すること、を特徴としている。
【０００９】
また、請求項５に記載の印刷装置は、請求項２に記載の印刷装置において、前記印刷制御手段が、第１の印刷指示操作がなされた場合、前記推奨寸法の印刷用紙を収容している選択候補収容部、に収容されている印刷用紙への片面印刷を印刷部に行わせ、第２の印刷指示がなされた場合、前記推奨寸法の印刷用紙を収容している選択候補収容部、に収容されている印刷用紙への両面印刷を印刷部に行わせ、前記特定手段が、前記第１の印刷指示がなされた場合、前記情報に基づいて、前記推奨寸法の印刷用紙を収容可能な用紙収容部を選択候補収容部として特定し、前記第２の印刷指示がなされた場合、前記情報と、前記複数の用紙収容部のそれぞれに収容されている印刷用紙の紙質を示す情報と、に基づいて、前記推奨寸法の印刷用紙を収容可能であり、且つ、予め定められた紙質の印刷用紙を収容していない用紙収容部を選択候補収容部として特定すること、を特徴としている。
【００１０】
また、請求項６に記載の印刷装置は、請求項５に記載の印刷装置において、前記表示制御手段が、前記第２の印刷指示がなされた場合において、前記推奨寸法の印刷用紙が収容されている選択候補収容部がない場合、前記予め定められた紙質を示す情報を前記表示部に表示させるようにしたことを特徴としている。
【００１１】
また、請求項７に記載の印刷装置は、請求項３に記載の印刷装置に、前記複数の用紙収容部のうちに、前記推奨寸法の印刷用紙を収容可能であり且つ前記設定がなされていない用紙収容部がない場合、前記推奨寸法の印刷用紙を収容可能であり且つ前記設定がなされている用紙収容部を示す情報を、前記表示部に表示させる手段、をさらに備えさせたことを特徴としている。
【００１２】
上記課題を解決するために、請求項８に記載のプログラムは、複数の用紙収容部それぞれにおいて収容可能な印刷用紙の用紙寸法を示す寸法情報に基づいて、前記複数の用紙収容部のうちで、印刷対象の画像の寸法に対応する用紙寸法である推奨寸法の印刷用紙を収容可能な用紙収容部を選択候補収容部として特定する特定手段、前記推奨寸法の印刷用紙が収容されている選択候補収容部がある場合、前記推奨寸法の印刷用紙を収容している選択候補収容部、に収容されている印刷用紙への前記印刷対象の画像の印刷を印刷部に行わせる印刷制御手段、前記推奨寸法の印刷用紙が収容されている選択候補収容部がない場合、前記特定手段により特定された選択候補収容部それぞれを示す情報と、前記推奨寸法を示す情報と、を表示部に表示させる表示制御手段、としてコンピュータを機能させるためのプログラムである。
【発明の効果】
【００１３】
請求項１、８の発明によれば、印刷対象の画像の寸法に対応する推奨寸法の用紙が収容されている用紙収容部がない場合に推奨寸法の用紙を収納可能な用紙収容部を示すことができる。
【００１４】
また、請求項２の発明によれば、推奨寸法の用紙が収容されている用紙収容部がない場合に、推奨寸法の用紙を収納可能であり且つ両面印刷に使用することができない紙質の用紙（例えば、厚紙）を収納してない用紙収容部を示すことができる。
【００１５】
また、請求項３の発明によれば、推奨寸法の用紙が収容されている用紙収容部がない場合に、推奨寸法の用紙を収納可能であり且つ例えばＡＰＳ(Auto Paper Selection)機能の適用対象外とする設定がなされていない用紙収容部を示すことができる。
【００１６】
また、請求項４の発明によれば、推奨寸法の用紙が収容されている用紙収容部がない場合に、推奨寸法の用紙を収納可能であり且つ故障していない用紙収容部を示すことができる。
【００１７】
また、請求項５の発明によれば、印刷対象の画像の印刷方式を考慮して、推奨寸法の用紙が収容されている用紙収容部がない場合に示すべき用紙収容部を変えることができる。
【００１８】
また、請求項６の発明によれば、どの紙質の用紙を収容すべきかを案内できる。
【００１９】
また、請求項７の発明によれば、例えばＡＰＳ機能の適用対象外とする設定を外すことで印刷対象の画像の印刷に使用可能となる用紙収容部を、示すことができる。
【図面の簡単な説明】
【００２０】
【図１】印刷装置のハードウェア構成を示す図である。
【図２】印刷装置のハードウェア構成を示す図である。
【図３】原稿台を説明するための図である。
【図４】用紙サイズテーブルの一例を示す図である。
【図５】属性テーブルの一例を示す図である。
【図６】印刷装置にて実行される処理を示すフロー図である。
【図７Ａ】印刷装置にて実行される処理を示すフロー図である。
【図７Ｂ】印刷装置にて実行される処理を示すフロー図である。
【図８】表示部の表示内容の一例を示す図である。
【図９】表示部の表示内容の一例を示す図である。
【発明を実施するための形態】
【００２１】
以下、本発明の実施形態の例について図面に基づき詳細に説明する。
【００２２】
図１及び図２は、本発明の実施形態に係る印刷装置１のハードウェア構成を示す図である。図２に示すように、印刷装置１は、制御部２を備える。制御部２は、マイクロプロセッサ及びマイクロコンピュータ等であり、後述する記憶部４に記憶されるプログラムに従い、情報処理を実行したり他の構成要素を制御したりする。また、印刷装置１は、記憶部４を備える。記憶部４は、ＲＯＭ及びＲＡＭにより実現され、上記プログラムを記憶している。本実施形態の場合、上記プログラムは、コンピュータ読み取り可能な情報記憶媒体から読み出されて記憶部４に記憶される。なお、上記プログラムは、インターネット等のネットワークからダウンロードされて記憶部４に記憶されてもよい。
【００２３】
記憶部４に記憶される他の情報については後述する。
【００２４】
また、印刷装置１は、操作入力部６を備える。本実施形態の場合、操作入力部６は、印刷装置１の壁面に設けられた操作ボタンであり、ユーザが行った操作内容を示す情報を制御部２に出力する。また、印刷装置１は、表示部８を備える。表示部８は、印刷装置１の壁面に設けられたディスプレイであり、制御部２の命令に従って情報を表示する。
【００２５】
[原稿読み取り装置]
また、図１及び図２に示すように、印刷装置１は、原稿読み取り装置１０を備える。原稿読み取り装置１０は、紙原稿の表面を光学的に読み取る。
【００２６】
本実施形態の場合、原稿読み取り装置１０は、原稿台１２、ＡＤＦ(Auto Document Feeder)部１４、画像読取ユニット１６、及びセンサ部１８等からなる。図３は、原稿台１２を説明するための図であり、原稿台１２を上方から見た図である。原稿台１２には、ユーザにより複写対象の紙原稿１００の束が設置される。本実施形態では、原稿台１２に、紙原稿１００の設置を案内する一対のガイド１２ａ，１２ｂが設けられている。ユーザは、ガイド１２ａとガイド１２ｂとをＸ方向に移動させて、両ガイド間のＸ方向の幅を、設置した紙原稿１００のＸ方向の幅に合わせる。こうして、原稿台１２に紙原稿１００を設置した上で、ユーザは、操作入力部６を用いて、コピーの実行を指示するコピー実行操作を行う。すなわち、ユーザは、操作入力部６を用いて、印刷倍率及び印刷方式（すなわち、片面印刷、両面印刷の別）を入力し、コピーの実行を指示する。
【００２７】
以下、印刷方式として片面印刷が入力されたときのコピー実行操作のことを通常コピー実行操作と表記し、印刷方式として両面印刷が入力されたときのコピー実行操作のことを特別コピー実行操作と表記する場合がある。
【００２８】
ＡＤＦ部１４は、コピー実行操作が行われた場合に、制御部２の命令に従い、その内部に備えられた用紙搬送ローラ群を駆動させ、原稿台１２に設置された紙原稿１００一枚一枚を順次、画像読取ユニット１６へと搬送する。なお、紙原稿１００は、Ｙ方向（図３参照）へと引き込まれることとなる。
【００２９】
画像読取ユニット１６は、制御部２の命令に従い、ＡＤＦ部１４から搬送される紙原稿１００の表面を光学的に読み取り、読み取った画像を示す画像信号を制御部２に渡す。本実施形態の場合、画像読取ユニット１６は、Ｘ方向（図３参照）に伸びるガラスプレートと、このガラスプレートを通過する紙原稿１００に向けこのガラスプレートの背面から光を照射する光源と、紙原稿１００に照射された光の反射光を受光するＣＣＤイメージセンサと、を備えている。ＣＣＤイメージセンサから出力される画像信号が制御部２に渡される。
【００３０】
画像信号は、制御部２により印刷倍率に基づいて処理され、印刷対象の画像を示す画像データが生成されることになる。
【００３１】
センサ部１８は、原稿台１２に設置された紙原稿１００の用紙サイズを特定するためのセンサ群である。本実施形態の場合、センサ部１８は、図３に示すように、原稿台１２の内部に設けられたセンサ１８ａを含む。センサ１８ａは、ガイド１２ａとガイド１２ｂとの間の幅、すなわち、紙原稿１００のＸ方向の幅を示す信号を制御部２に渡す。また、センサ部１８は、原稿台１２の表面に設けられた２つのセンサ１８ｂを含む。各センサ１８ｂは、紙原稿１００に覆われているか否かを示す信号を制御部２に渡す。どのセンサ１８ｂが紙原稿１００に覆われているか否かによって、紙原稿１００のＹ方向の幅が分かる。
【００３２】
[画像形成装置]
また、図１及び図２に示すように、印刷装置１は、画像形成装置２０を備える。画像形成装置２０は、印刷対象の画像を印刷用紙に印刷する。
【００３３】
本実施形態の場合、画像形成装置２０は、図１に示すように、印刷用紙が収容される５つの給紙トレイ２２（給紙トレイ（１）〜給紙トレイ（５））を備えている。各給紙トレイ２２が「用紙収容部」に相当する。
【００３４】
各給紙トレイ２２に収容可能な印刷用紙の用紙サイズは予め決まっている。記憶部４には、各給紙トレイ２２に収容可能な印刷用紙の用紙サイズを示す用紙サイズテーブルが記憶されている。図４は、用紙サイズテーブルの一例を示す図である。用紙サイズテーブルは、給紙トレイフィールドと、用紙サイズフィールドと、を含む。給紙トレイフィールドには、各給紙トレイ２２のトレイ番号が格納される。また、用紙サイズフィールドには、給紙トレイフィールドに格納されるトレイ番号に関連づけて、そのトレイ番号の給紙トレイ２２に収容可能な用紙サイズのＩＤが格納される。例えば、図４によれば、給紙トレイ（１）には、Ａ３サイズ、Ａ４サイズ、Ｂ４サイズ、及びＢ３サイズ等の定型サイズの印刷用紙が収容可能である。また、給紙トレイ（５）には、不定型の印刷用紙が収容可能である。言い換えれば、給紙トレイ（５）には、極端に小さいサイズや極端に大きいサイズを除いて、どのサイズの印刷用紙も収容可能である。
【００３５】
また、記憶部４には、各給紙トレイ２２の属性を示す属性テーブルが記憶されている。図５は、属性テーブルの一例を示す図である。属性テーブルは、各給紙トレイ２２が故障中であるか否かを示す。すなわち、属性テーブルは、給紙トレイフィールドと、状態フィールドと、を含む。給紙トレイフィールドには、各給紙トレイ２２のトレイ番号が格納される。また、状態フィールドには、給紙トレイフィールドに格納されるトレイ番号に関連づけて、そのトレイ番号の給紙トレイ２２が故障中であるか否かを示す状態フラグが格納される。「故障中」が給紙トレイ２２が故障中であることを示し、「正常」が給紙トレイ２２が故障中でないことを示す。
【００３６】
また、属性テーブルは、各給紙トレイ２２に収容されている印刷用紙の紙質も示す。すなわち、属性テーブルは、紙質フィールドも含む。紙質フィールドには、給紙トレイフィールドに格納されるトレイ番号に関連づけて、そのトレイ番号の給紙トレイ２２に収容されている印刷用紙の紙質を示す情報が格納される。本実施形態の場合、紙質フィールドに格納される情報は、ユーザにより入力される。なお、「厚紙」は両面印刷には用いられない。
【００３７】
また、属性テーブルは、各給紙トレイ２２に収容されている印刷用紙の用紙サイズも示す。すなわち、属性テーブルは、用紙サイズフィールドも含む。用紙サイズフィールドには、給紙トレイフィールドに格納されるトレイ番号に関連づけて、そのトレイ番号の給紙トレイ２２に収容されている印刷用紙の用紙サイズのＩＤが格納される。但し、収容されている印刷用紙の用紙サイズが、「Ａ４」サイズ、「Ａ３」サイズ、及び「Ｂ４」サイズ等の定型サイズでない場合、印刷用紙の主走査方向の幅及び副走査方向の幅そのものが格納される。本実施形態の場合、用紙サイズフィールドに格納される情報は、ユーザにより入力される。なお、印刷用紙の用紙サイズを検知するセンサが各給紙トレイに設けられている場合、各センサにより検知された用紙サイズが用紙サイズフィールドに格納されてもよい。
【００３８】
また、属性テーブルは、各給紙トレイ２２に関しＡＰＳ(Auto Paper Selection)機能の適用対象外とする設定がなされているか否かも示す。すなわち、属性テーブルは、適用対象フィールドも含む。適用対象フィールドには、給紙トレイフィールドに格納されるトレイ番号に関連づけて、そのトレイ番号の給紙トレイ２２にＡＰＳ機能の適用対象外とする設定がなされているか否かを示す適用対象フラグが格納される。「適用対象外」が、ＡＰＳ機能の適用対象外とする設定がなされていることを示し、「適用対象」が、ＡＰＳ機能の適用対象外とする設定がなされていないことを示す。ユーザは、操作入力部６を操作することで、適宜、所望の給紙トレイ２２に対してＡＰＳ機能の適用対象外とする設定を行ったり、給紙トレイ２２になされている該設定を解除したりする。
【００３９】
また、図１及び図２に示すように、画像形成装置２０は、用紙搬送路２５に沿って設置された複数の搬送ローラ２４を備えている。搬送ローラ２４は、制御部２の命令に従って駆動し、いずれかの給紙トレイ２２に収容される印刷用紙を後述する画像形成ユニット２６へと搬送する。
【００４０】
また、図１及び図２に示すように、画像形成装置２０は、画像形成ユニット２６（印刷部）を備える。画像形成ユニット２６は、制御部２の命令に従い、印刷対象の画像を、搬送ローラ２４から搬送された印刷用紙に印刷する。本実施形態の場合、画像形成ユニット２６は、感光体ドラム、転写ローラ、及び定着器などを備え、帯電された感光体ドラムに形成されるトナー像を、転写ローラで印刷用紙に転写し、定着器で転写したトナー像を定着させる。なお、画像形成ユニット２６は、通常コピー実行操作が行われた場合には、印刷対象の画像を、印刷用紙の片面に印刷し、特別コピー実行操作が行われた場合には、印刷対象の画像２つを、印刷用紙の両面に印刷する。印刷用紙は、排出トレイ２８（図１参照）に排出される。
【００４１】
[処理]
次に、コピー実行操作が行われた場合に、上記プログラムに従い制御部２が実行する処理について説明する。図６は、コピー実行操作が行われた場合に、制御部２が実行する処理を示すフロー図である。
【００４２】
まず、制御部２は、原稿台１２に設置されている紙原稿１００の原稿サイズをセンサ部１８からの信号に基づいて特定するとともに、特定した原稿サイズと、ユーザにより入力された印刷倍率と、に基づいて印刷対象の画像の画像サイズを前もって算出する（Ｓ１０１）。本実施形態の場合、制御部２は、予め定められた算出アルゴリズムに従い、印刷対象の画像の主走査方向の幅及び副走査方向の幅を算出する。
【００４３】
そして、制御部２は、算出した画像サイズに基づいて、該画像サイズに対応する用紙サイズを推奨サイズとして特定する（Ｓ１０２）。すなわち、制御部２は、予め定められたアルゴリズムに従い、印刷対象の画像を印刷すべき印刷用紙の用紙サイズを推奨サイズとして特定する。例えば、紙原稿１００の原稿サイズが「Ａ４」であり、且つ、印刷倍率が「１００％」である場合、「Ａ４」サイズが推奨サイズとして特定されることとなる。なお、Ｓ１０２では原則、定型サイズが推奨サイズとして特定される。但し、紙原稿１００の原稿サイズによっては（例えば、紙原稿１００が不定型の紙原稿である場合）、定型サイズが推奨サイズとして特定されず、不定型サイズが推奨サイズとして特定される。すなわち、主走査方向の幅及び副走査方向の幅そのものが推奨サイズとして特定される。
【００４４】
そして、制御部２（特定手段）は、用紙サイズテーブル（図４参照）を、記憶部４から読み出す（Ｓ１０３）。そして、制御部２（特定手段）は、用紙サイズテーブルを参照して、給紙トレイ（１）〜給紙トレイ（５）のうちで、推奨サイズの印刷用紙が収容可能な給紙トレイ２２を特定する（Ｓ１０４）。なお、本実施形態の場合、収容可能な用紙サイズが「不定型」（図４参照）である給紙トレイ２２は、Ｓ１０４で必ず特定される。なお、主走査方向の幅及び副走査方向の幅そのものが推奨サイズとして特定された場合、収容可能な用紙サイズが「不定型」（図４参照）である給紙トレイ２２のみが、Ｓ１０４で特定される。
【００４５】
そして、制御部２（特定手段）は、属性テーブル（図５参照）を、記憶部４から読み出す（Ｓ１０５）。そして、制御部２（特定手段）は、属性テーブルを参照し、Ｓ１０４で特定した給紙トレイ２２のうちで、上記ＡＰＳ機能の適用対象となるＡＰＳ対象トレイ（選択候補収容部に相当）を特定する（Ｓ１０６）。すなわち、通常コピー実行操作が行われた場合、Ｓ１０６で制御部２は、図７Ａに示す処理を実行し、特別コピー実行操作が行われた場合、Ｓ１０６で制御部２は、図７Ｂに示す処理を実行する。
【００４６】
まず、図７Ａについて説明する。制御部２は、Ｓ１０４で特定した給紙トレイ２２を、トレイ番号の昇順でソートする（Ｓ１０６Ａ）。そして、制御部２は、ソート順序が一番目の給紙トレイ[１]から順番に、Ｓ１０６Ｂ、Ｓ１０６Ｃ、及びＳ１０６Ｄのステップを実行する。すなわち、制御部２は、属性テーブルを参照して、給紙トレイ[ｉ]が故障中であるか否かを判定する（Ｓ１０６Ｂ）。また、制御部２は、給紙トレイ[ｉ]が故障中でない場合（Ｓ１０６ＢのＮ）、属性テーブルを参照して、給紙トレイ[ｉ]にＡＰＳ機能の適用対象外とする設定がなされているか否かを判定する（Ｓ１０６Ｃ）。また、制御部２は、給紙トレイ[ｉ]にＡＰＳ機能の適用対象外とする設定がなされていない場合（Ｓ１０６ＣのＮ）、給紙トレイ[ｉ]のトレイ番号を、ＡＰＳ対象トレイのトレイ番号として記憶部４に保存する（Ｓ１０６Ｄ）。
【００４７】
なお、給紙トレイ[ｉ]が故障中である場合（Ｓ１０６ＢのＹ）、又は、給紙トレイ[ｉ]にＡＰＳ機能の適用対象外とする設定がなされている場合（Ｓ１０６ＣのＹ）、制御部２は、次の給紙トレイに関し、Ｓ１０６Ｂ以降のステップを実行する。
【００４８】
次に、図７Ｂについて説明する。図７Ｂに示すように、特別コピー実行操作が行われた場合も、通常コピー実行操作が行われた場合と同様に（図７Ａ参照）、Ｓ１０６Ａ、Ｓ１０６Ｂ、Ｓ１０６Ｃ、及びＳ１０６Ｄが実行される。但し、この場合、これらのステップに加えてＳ１０６ａのステップが実行され、Ｓ１０６ａで制御部２が、属性テーブルを参照し、給紙トレイ[ｉ]に収容されている印刷用紙の紙質が「厚紙」であるか否かを判定する（Ｓ１０６ａ）。厚紙は両面印刷に用いられないからである。そして、給紙トレイ[ｉ]が故障中でなく（Ｓ１０６ＢのＮ）、且つ、給紙トレイ[ｉ]に厚紙が収容されておらず（Ｓ１０６ａのＮ）、且つ、給紙トレイ[ｉ]にＡＰＳ機能の適用対象外とする設定がなされていない場合（Ｓ１０６ＣのＮ）、Ｓ１０６Ｄで制御部２が、給紙トレイ[ｉ]のトレイ番号を、ＡＰＳ対象トレイのトレイ番号として記憶部４に保存する。
【００４９】
こうして、ＡＰＳ対象トレイが特定される。続いて、Ｓ１０７以降のステップが実行される。
【００５０】
すなわち、制御部２は、記憶部４に記憶される全ＡＰＳ対象トレイのトレイ番号を読み出し、ＡＰＳ対象トレイをそのトレイ番号の昇順でソートする（Ｓ１０７）。そして、制御部２は、ソート順序が一番目のＡＰＳ対象トレイ[１]から順番に、Ｓ１０８のステップを実行する。すなわち、Ｓ１０８で制御部２は、属性テーブルを参照し、ＡＰＳ対象トレイ[ｊ]に収容されている印刷用紙の用紙サイズが推奨サイズと一致するか否かを判定する（Ｓ１０８）。
【００５１】
ＡＰＳ対象トレイ[ｊ]に収容されている印刷用紙の用紙サイズが推奨サイズと一致しない場合（Ｓ１０８のＮ）、制御部２は、次のＡＰＳ対象トレイについてＳ１０８のステップを実行する。推奨サイズの印刷用紙を収容しているＡＰＳ対象トレイがない場合、全ＡＰＳ対象トレイについてＳ１０８のステップが実行された後、Ｓ１１０のステップが実行される。
【００５２】
一方、ＡＰＳ対象トレイ[ｊ]に収容されている印刷用紙の用紙サイズが推奨サイズと一致する場合（Ｓ１０８のＹ）、すなわち、推奨サイズの印刷用紙が収容されているＡＰＳ対象トレイがある場合、制御部２は、Ｓ１１０のステップを実行せずに、Ｓ１０９のステップを実行する。
【００５３】
Ｓ１０９では、制御部２は、原稿台１２に設置されている紙原稿１００のコピーを実行する（Ｓ１０９）。すなわち、Ｓ１０９で制御部２は、ＡＤＦ部１４を駆動させ、原稿台１２に設定されている紙原稿１００一枚一枚を順次、画像読取ユニット１６へと搬送する。また、Ｓ１０９で制御部２は、画像読み取りユニット１６から供給される画像信号を印刷倍率に基づき処理することで、印刷対象の画像一枚一枚の画像データを生成する。また、Ｓ１０９で制御部２（印刷制御手段）は、搬送ローラ２４を駆動させ、ＡＰＳ対象トレイ[ｊ]に収容される印刷用紙を画像形成ユニット２６へと搬送し、生成した画像データに基づいて、ＡＰＳ対象トレイ[ｊ]から搬送されてきた印刷用紙への印刷対象の画像の印刷を、画像形成ユニット２６に行わせる。ここで、制御部２は、通常コピー実行操作が行われたとき、印刷対象の画像の片面印刷を画像形成ユニット２６に行わせ、特別コピー実行操作が行われたとき、印刷対象の画像の両面印刷を画像形成ユニット２６に行わせる。
【００５４】
一方、Ｓ１１０では、制御部２（表示制御手段）は、推奨サイズと、全ＡＰＳ対象トレイのトレイ番号と、を表示部８に表示させる（Ｓ１１０）。図８は、Ｓ１１０における表示部８の表示内容の一例を示す図である。上方に記載の図は、推奨サイズが定型サイズである場合の表示内容の一例を示し、下方に推奨サイズが定型サイズでない場合の表示内容を一例を示す。同図に示すように、表示部８には、推奨サイズ３０と、全ＡＰＳ対象トレイのトレイ番号３２と、が表示される。上方の図では、推奨サイズ３０が定型サイズであるので、推奨サイズ３０のＩＤが表示され、下方の図では、推奨サイズ３０が定型サイズでないので、主走査方向の幅及び副走査方向の幅が表示されている。表示部８を参照したユーザは、表示部８に表示される用紙サイズの印刷用紙を、表示部８に表示されるトレイ番号の給紙トレイ２２に収容すべきことが分かる。なお、本実施形態の場合、表示部８の行数がわずか四行に制限されている。そのため、推奨サイズ３０とトレイ番号３２とが一行で表示される。
【００５５】
なお、特別コピー実行操作が行われたとき（両面印刷が行われるとき）、Ｓ１１０で制御部２は、推奨サイズと、全ＡＰＳ対象トレイのトレイ番号だけでなく、両面印刷で用いられない紙質（すなわち、「厚紙」）を示す情報も、表示部８に表示する。図９は、特別コピー実行操作が行われたときのＳ１１０における表示部８の表示内容の一例を示す図である。同図に示すように、表示部８には、厚紙を示す文字列３４が表示されている。表示部８を参照したユーザは、表示部８に表示される用紙サイズを有する厚紙以外の印刷用紙を、表示部８に表示されるトレイ番号の給紙トレイ２２に収容すべきことが分かる。
【００５６】
なお、本発明の実施形態は、上記実施形態だけに限らない。
【００５７】
例えば、紙原稿の表面を光学的に読み取る機能を有しているのであれば、どのような原稿読み取り装置（例えば、ＡＤＦ部１４を備えていない原稿読み取り装置）が原稿読み取り装置１０として印刷装置１に備えられていてもよい。
【００５８】
また、例えば、印刷対象の画像は、原稿読み取り装置１０が読み取った画像だけに限らない。すなわち、本発明は、図示しないクライアント装置から受信した印刷データ（例えば、ＰＤＬ（page description language）データ）が表す画像や、記憶部４に予め記憶される画像を印刷する場合にも適用可能である。また、本発明は、印刷装置１にＦＡＸ受信装置が備えられている場合には、ＦＡＸ受信された画像信号が表す画像を印刷する場合にも適用可能である。この場合、印刷データが表す画像や、記憶部４から読み出される画像や、ＦＡＸ受信された画像信号が表す画像が印刷対象の画像に相当する。なお、この場合、制御部２は、Ｓ１０１（図６参照）のステップにおいて、印刷対象の画像そのものから推奨サイズを特定するとともに、Ｓ１０９のステップにおいて、印刷対象の画像の印刷のみを行えばよい。また、この場合、必ずしも、印刷装置１に原稿読み取り装置１０が備えられていなくてもよい。
【００５９】
また、例えば、Ｓ１１０（図６参照）で制御部２が、印刷用紙の収容方向を示す情報を表示部８にさらに表示することで、印刷用紙の収容方向をユーザに案内してもよい。
【００６０】
また、例えば、制御部２は、推奨サイズの印刷用紙を収容可能な給紙トレイ２２がない場合、Ｓ１０５以降のステップを実行せずに、予め定められたエラー情報を表示部８に表示してもよい。
【００６１】
また、例えば、制御部２は、ＡＰＳ対象トレイとなる給紙トレイ２２がない場合、すなわち、ＡＰＳ対象トレイのトレイ番号が記憶部４に1つも記憶されていない場合、Ｓ１０７以降のステップを実行する代わりに、以下に説明する処理を実行してもよい。すなわち、制御部２は、Ｓ１０７以降のステップを実行する代わりに、Ｓ１０４で特定した給紙トレイ２２のうち、ＡＰＳ機能の適用対象外とする設定がなされていることのみが原因でＡＰＳ対象トレイとされなかった給紙トレイ２２、のトレイ番号を表示部８に表示させてもよい。この場合、制御部２は、通常コピー実行操作が行われたときは、例えば図７ＡのＳ１０６Ｂで給紙トレイ[ｉ]が故障中でないと判定された場合に、給紙トレイ[ｉ]のトレイ番号を、エラー表示用トレイ番号として記憶部４に保存し、Ｓ１０６Ｃのステップに進む。また、特別コピー実行操作が行われたときは、例えば図７ＢのＳ１０６ａで給紙トレイ[ｉ]に厚紙が収容されていると判定された場合に、給紙トレイ[ｉ]のトレイ番号を、エラー表示用トレイ番号として記憶部４に保存し、Ｓ１０６Ｃのステップに進む。そして、ＡＰＳ対象トレイとなる給紙トレイ２２がない場合、制御部２が、Ｓ１０７以降のステップを実行する代わりに、記憶部４に記憶されるエラー表示用トレイ番号を表示部８に表示すればよい。表示部８を参照したユーザは、表示部８に表示されるトレイ番号の給紙トレイ２２に関し、ＡＰＳ機能の適用対象外とする設定を解除しさえすればよいことがわかる。
【符号の説明】
【００６２】
１  印刷装置、２  制御部、４  記憶部、６  操作入力部、８  表示部、１０  原稿読み取り装置、１２  原稿台、１２ａ，１２ｂ  ガイド、１４  ＡＤＦ部、１６  画像読取ユニット、１８  センサ部、１８ａ，１８ｂ  センサ、２０  画像形成装置、２２  給紙トレイ、２４  搬送ローラ、２５  搬送路、２６  画像形成ユニット、２８  排出トレイ、３０  推奨サイズ、３２  ＡＰＳ対象トレイ番号、３４  文字列。
【図１】
2014201417.tif 000003
【図２】
2014201417.tif 000004
【図３】
2014201417.tif 000005
【図４】
2014201417.tif 000006
【図５】
2014201417.tif 000007
【図６】
2014201417.tif 000008
【図７Ａ】
2014201417.tif 000009
【図７Ｂ】
2014201417.tif 000010
【図８】
2014201417.tif 000011
【図９】
2014201417.tif 000012